(57)【要約】【課題】  ＰＡＬ又はＳＥＣＡＭ方式の映像ソースを表示するために欧州規格に対応した表示パネルを用いたマトリックス型表示装置を提供することにある。【課題を解決するための手段】  本発明によると、映像表示装置は、所定数の走査線を有するインターレース方式の映像信号を入力する映像信号入力部と、該映像信号入力部からの映像信号を上記所定数の整数分の１の走査線を有するプログレッシブ方式の映像信号に変換する映像信号変換部と、該映像信号変換部からの映像信号を入力してプログレッシブ方式の映像を表示するマトリックス型の表示パネルと、を有し、上記映像信号変換部の出力側の回路には、パネル駆動用クロックに起因した輻射を防止するためのシールドが除去されている。【選択図】  図１
2006173787.tif 000002
【特許請求の範囲】
【請求項１】
所定数の走査線を有するインターレース方式の映像信号を入力する映像信号入力部と、該映像信号入力部からの映像信号を上記所定数の整数分の１の走査線を有するプログレッシブ方式の映像信号に変換する映像信号変換部と、該映像信号変換部からの映像信号を入力してプログレッシブ方式の映像を表示するマトリックス型の表示パネルと、を有し、上記映像信号変換部の出力側の回路には、パネル駆動用クロックに起因した輻射を防止するためのシールドが除去されていることを特徴とする映像表示装置。
【請求項２】
所定数の走査線を有するインターレース方式の映像信号を入力する映像信号入力部と、該映像信号入力部からの映像信号を上記所定数の整数分の１の走査線を有するプログレッシブ方式の映像信号に変換する映像信号変換部と、該映像信号変換部からの映像信号を入力してプログレッシブ方式の映像を表示するマトリックス型の表示パネルと、を有し、上記映像信号変換部の出力側の回路には、パネル駆動用クロックに起因した輻射を防止するための磁性体リングが除去されていることを特徴とする映像表示装置。
【請求項３】
所定数の走査線を有するインターレース方式の映像信号を入力する映像信号入力部と、該映像信号入力部からの映像信号を上記所定数の整数分の１の走査線を有するプログレッシブ方式の映像信号に変換する映像信号変換部と、該映像信号変換部からの映像信号を入力してプログレッシブ方式の映像を表示するマトリックス型の表示パネルと、を有し、上記映像信号変換部の出力側の回路には、パネル駆動用クロックに起因した輻射を防止するためのノイズ対策用コンデンサが除去されていることを特徴とする映像表示装置。
【請求項４】
請求項１乃至３記載の映像表示装置において、上記映像信号入力部が５７６本の走査線を有するインターレース方式のＰＡＬ方式映像信号を入力したとき、上記映像信号変換部は該５７６本の走査線を有するインターレース方式の映像信号を５４０本の走査線を有するプログレッシブ方式の映像信号に変換し、それを５４０本の画素列を有するマトリックス型の表示パネルに表示することを特徴とする映像表示装置。
【請求項５】
請求項１乃至３記載の映像表示装置において、上記映像信号入力部が１０８０本の走査線を有するインターレース方式のハイビジョン映像信号を入力したとき、上記映像信号変換部は該１０８０本の走査線を有するインターレース方式の映像信号を５４０本の走査線を有するプログレッシブ方式の映像信号に変換し、それを５４０本の画素列を有するマトリックス型の表示パネルに表示することを特徴とする映像表示装置。
【発明の詳細な説明】
【技術分野】
【０００１】
本発明は、映像ソースを表示するための映像表示装置に関し、特に、ＰＡＬ方式の映像ソースを表示するための映像表示装置に関する。
【背景技術】
【０００２】
ＮＴＳＣ方式のデジタル映像ソースを表示するために液晶パネル、プラズマパネル等のマトリックス型表示パネルを用いた映像表示装置が知られている。このような映像表示装置には、通常、パーソナルコンピュータの表示規格に従った表示パネルが用いられる。例えば、４：３型のＶＧＡ（６４０ドット×４８０ドット）の表示パネルの場合、４８０行の画素列からなり、ＸＧＡ（１０２４ドット×７６８ドット）の表示パネルの場合、７６８行の画素列からなる。
【０００３】
一方、映像ソースのフォーマットでは、PAL方式５７６ｉとハイビジョン方式１０８０ｉが規定されている。５７６ｉは走査線が５７６本のインターレース信号、１０８０ｉは走査線が１０８０本のインターレース信号である。即ち、映像ソースの走査線数は、マトリックス型表示パネルの画素の行数と異なる。
【０００４】
従って、映像ソースを走査線数の違うマトリックス型表示パネルに表示するためには、走査線のスケーリングを行う必要がある。
【０００５】
図５を参照してＰＡＬ方式の標準（ＳＤ）映像信号のスケーリングを説明する。図５Ａは、走査線数が５７６本のインターレース方式の映像信号を模式的に表示したものであり、この映像信号を、以下、単に、５７６ｉ映像信号と称する。図５Ｂは、１６：９型のＷ−ＸＧＡ（１３６６ドット×７６８ドット）の表示パネルの画素列を模式的に表示したものであり、これを、以下、単に、Ｗ−ＸＧＡパネルと称する。
【０００６】
先ず、図５Ａの５７６ｉ映像信号を、図５Ｃに示す、走査線が５４７本のプログレッシブ信号に変換する。こうして生成された信号を、以下、単に、５４７ｐ信号と称する。ここで、走査線が５７６本から５４７本に減少しているのは、ラインメモリにより１ラインを２ラインに増やす処理を行って５７６ｐ信号に変換し、さらに５％のオーバスキャン分２９ラインカットを行ったためである。次に、図５Ｃの５４７ｐ信号を、図５Ｄに示す、走査線が７６８本のプログレッシブ信号に変換する。こうして生成された信号を、以下、単に、７６８ｐ信号と称する。ここで、走査線を５４７から７６８本に増加させる処理をスケーリングと称する。７６８ｐ信号の走査線は、７６８本であるから、７６８行の画素列を有するＷ−ＸＧＡパネルに表示することができる。尚、５７６ｉ映像信号は４：３型であるから、それを１６：９型の表示パネルに表示するには、水平方向のスケーリングが必要である。
【０００７】
図６を参照してハイビジョン（ＨＤ）映像信号のスケーリングを説明する。図６Ａは、走査線数が１０８０本のインターレース方式の映像信号を模式的に表示したものであり、この映像信号を、以下、単に、１０８０ｉ映像信号と称する。図６Ｂは、Ｗ−ＸＧＡパネルの画素列を模式的に示す。
【０００８】
先ず、図６Ａの１０８０ｉ映像信号を、図６Ｃに示す、走査線が５４０本のプログレッシブ信号に変換する。こうして生成された信号を、以下、単に、５４０ｐ信号と称する。ここで、走査線が１０８０本から５４０本に減少しているのは、偶数フィールドまたは奇数フィールドの信号の片方を取り込んだためである。次に、図６Ｃの５４０ｐ信号を、図６Ｄに示す、走査線が７６８本のプログレッシブ信号に変換する。走査線が５４０本から７６８本に増加しているのは、スケーリングを行ったためである。７６８ｐ信号の走査線は、７６８本であるから、７６８行の画素列を有するＷ−ＸＧＡパネルに表示することができる。尚、１０８０ｉ映像信号は１６：９型であるから、それを１６：９型の表示パネルに表示するには、水平方向のスケーリングは不要である。
【発明の開示】
【発明が解決しようとする課題】
【０００９】
映像ソースを映像ソースと走査線数の違うパーソナルコンピュータの表示規格に従った表示パネルによって表示する場合には、上述のように、スケーリングを行う必要がある。
【００１０】
ＸＧＡ（１０２４ドット×７６８ドット）の表示パネルを用いる場合、スケーリング後のパネル駆動用クロックは６５ＭＨｚであり、Ｗ−ＸＧＡ（１３６６ドット×７６８ドット）の表示パネルを用いる場合、スケーリング後のパネル駆動用クロックは８３．５６ＭＨｚである。従って、スケーリング後のパネル駆動用クロックに起因する不要な輻射電波によって、表示パネルの回路に影響を与えることとなる。
【００１１】
一方、ＰＡＬ又はＳＥＣＡＭ方式の映像ソースを表示するためにマトリックス型表示装置を用いる技術は未だ開発されていない。ＰＡＬ又はＳＥＣＡＭ方式の映像ソースを欧州規格の表示パネルによって表示する場合には、上述のＮＴＳＣ方式の場合と同様に、スケーリング後のパネル駆動用クロックに起因する不要な輻射電波によって、表示パネルの回路に影響を与える可能性がある。
【００１２】
本発明の目的は、ＰＡＬ又はＳＥＣＡＭ方式の映像ソースを表示するために欧州規格に対応させた表示パネルを用いたマトリックス型表示装置を提供することにある。
【００１３】
本発明の更に他の目的は、ＰＡＬ又はＳＥＣＡＭ方式の映像ソースを表示するために欧州規格に対応させた表示パネルを用いたマトリックス型表示装置において、簡単な構造でパネル駆動用クロックに起因する不要な輻射電波の影響を軽減することにある。
【課題を解決するための手段】
【００１４】
本発明によると、映像表示装置は、所定数の走査線を有するインターレース方式の映像信号を入力する映像信号入力部と、該映像信号入力部からの映像信号を上記所定数の整数分の１の走査線を有するプログレッシブ方式の映像信号に変換する映像信号変換部と、該映像信号変換部からの映像信号を入力してプログレッシブ方式の映像を表示するマトリックス型の表示パネルと、を有し、上記映像信号変換部の出力側の回路には、パネル駆動用クロックに起因した輻射を防止するためのシールドが除去されている。
【発明の効果】
【００１５】
本発明によると、ＰＡＬ方式の映像ソース用のマトリックス型映像表示装置において、簡単な構造でパネル駆動用クロックに起因する不要輻射を防止することができる効果がある。
【発明を実施するための最良の形態】
【００１６】
図１は、本発明によるＰＡＬ方式の映像ソース用の液晶映像表示装置の構成の主要部を示す。本例の映像表示装置は、複数の映像ソースからの映像信号を切り替えて入力する入力切換部１１、アナログ信号をデジタル信号に変換するＡＤコンバータ１２、映像信号変換用メモリ１３、スケーリング、ＩＰ変換等の映像信号変換処理を行う映像信号変換部１４、画質強調補正処理を行う画質強調補正部１５、オンスクリーン信号を制御するＯＳＤ制御部１６、オンスクリーン信号を混合するＯＳＤ混合部１７、γ補正を行うγ補正部１８、液晶パネルを制御する液晶コントローラ１９、液晶パネル２０、ゲートドライバ２１、及びソースドライバ２２を有する。
【００１７】
以下に、本例の映像信号変換部１４における映像信号変換処理を説明する。
【００１８】
図２を参照してＰＡＬ方式の標準（ＳＤ）映像信号の映像信号変換処理を説明する。図２Ａは、図５Ａに示した走査線数が５７６本のインターレース方式の映像信号、即ち、５７６ｉ映像信号を模式的に表示したものである。図２Ｂは、１６：９型の欧州規格に対応させた表示パネル（９６０ドット×５４０ドット）の画素列を模式的に表示したものであり、これを、以下、単に、ワイドユーロパネルと称する。
【００１９】
先ず、図２Ａの５７６ｉ映像信号を、図２Ｃに示す、走査線が５７６本のプログレッシブ信号に変換する。こうして生成された信号を、以下、単に、５７６ｐ信号と称する。ここで、インターレース信号はラインメモリにより１ラインを２ラインに増やす処理を行ってプログレッシブ信号に変化させている。
【００２０】
次に、図２Ｃの５７６ｐ信号を、図２Ｄに示す、走査線が５４０本のプログレッシブ信号に変換する。こうして生成された信号を、以下、単に、５４０ｐ信号と称する。ここで、走査線が５７６本から５４０本に減少しているのは、６．２５％のオーバスキャン分３６ラインカットを行ったためであり、スケーリングは不要である。５４０ｐ信号の走査線は、５４０本であるから、５４０行の画素列を有するワイドユーロパネルに表示することができる。尚、５７６ｉ映像信号は４：３型であるから、それを１６：９型のワイドユーロパネルに表示するには、水平方向のスケーリングが必要である。
【００２１】
図３を参照してハイビジョン（ＨＤ）映像信号の映像信号変換を説明する。図３Ａは、図６Ａに示した走査線数が１０８０本のインターレース方式の映像信号、即ち、１０８０ｉ映像信号を模式的に表示したものである。図３Ｂは、図２Ｂに示した、１６：９型の欧州規格のワイドユーロパネル（９６０ドット×５４０ドット）の画素列を模式的に表示したものである。本例では、整数分の一のプログレッシブ信号への変換として１０８０ｉの１／２のプログレッシブ信号５４０ｐに変換する例を示す。
【００２２】
先ず、図３Ａの１０８０ｉ映像信号を、図３Ｃに示す、走査線が５４０本のプログレッシブ信号、即ち、５４０ｐ信号に変換する。ここで、走査線が１０８０本から５４０本に減少しているのは、偶数フィールドまたは奇数フィールドの信号の片方を取り込んだためである。５４０ｐ信号の走査線は、５４０本であるから、５４０行の画素列を有するワイドユーロパネルに表示することができる。尚、１０８０ｉ映像信号は１６：９型であるから、それを１６：９型のワイドユーロパネルに表示するには、水平方向のスケーリングは不要である。
【００２３】
以上、説明したように、本例のマトリックス型表示装置の映像信号変換部１４では、ＰＡＬ方式の標準（ＳＤ）映像信号をワイドユーロパネルに表示する場合、図２Ａの５７６ｉ映像信号を図３Ｃの５７６ｐ信号にＩＰ変換し、それを、図２Ｄの５４０ｐ信号に変換するだけである。即ち、オーバスキャンと水平方向のスケーリングを行うが、垂直方向のスケーリングは行わない。ＰＡＬ方式のハイビジョン（ＨＤ）映像信号をワイドユーロパネルに表示する場合、図３Ａの１０８０ｉ映像信号を図３Ｃの５４０ｐ信号に変換するだけである。即ち、ＩＰ変換を行うが、オーバスキャンと水平方向のスケーリングは行わない。従って、本例では、映像信号変換用メモリ１３の容量を小さくすることができる。
【００２４】
次に再び図１を参照して、本例の映像表示装置のパネル駆動用クロックについて説明する。映像信号変換部１４は、５７６ｉ信号又は１０８０ｉ信号よりワイドユーロパネルに対応したパネル駆動用クロック信号ｍを生成し、それを信号線３０を介して、画質強調補正部１５、ＯＳＤ混合部１７、γ補正部１８、液晶コントローラ１９、ソースドライバ２２に供給する。本例ではパネル駆動用クロックの周波数は４０．５ＭＨｚである。映像信号変換部の出力信号ｆ、ＯＳＤ混合部１６の出力信号ｈ、及び液晶コントローラ１８の出力信号ｊのクロック周波数も４０．５ＭＨｚとなる。
【００２５】
一方、従来のW-XGAパネル方式の映像ソース用のマトリックス型表示装置において、Ｗ−ＸＧＡ（１３６６ドット×７６８ドット）の表示パネルを用いる場合、映像信号変換部は、５７６ｉ信号又は１０８０ｉ信号からＷ−ＸＧＡパネルに対応したパネル駆動用クロックを生成する。このパネル駆動用クロックの周波数は８３．５６ＭＨｚである。また、映像信号変換部の出力信号ｆ、ＯＳＤ混合部１６の出力信号ｈ、及び液晶コントローラ１８の出力信号ｊ、ｋのクロック周波数も８３．５６ＭＨｚとなる。尚、ＸＧＡ（１０２４ドット×７６８ドット）の表示パネルを用いる場合、スケーリング後のクロック周波数は６５ＭＨｚである。
【００２６】
従って、本例の映像表示装置を、従来のW-XGAパネル方式の映像ソース用のマトリックス型映像表示装置と比較すると、本例ではパネル駆動用クロックの周波数が低い。そのため、パネル駆動用クロックに起因した不要輻射を低減することができる。
【００２７】
パネル駆動用クロックの周波数は、表示パネルのドット数に対応している。即ち、表示パネルのドット数が大きいと、パネル駆動用クロックの周波数は高くなり、表示パネルのドット数が小さいと、パネル駆動用クロックの周波数は低くなる。本例の場合、ユーロパネル（９６０ドット×５４０ドット）を使用するから、ドット数が小さい。従って、パネル駆動用クロックの周波数は低くなる。
【００２８】
図４は、本発明によるＰＡＬ方式の映像ソース用のマトリックス型表示装置の背面の構成の例を示す。このマトリックス型表示装置の表面には液晶パネル２０が装着され、背面には、電源基板１０１、信号入力基板１０２、メイン基板１０３、ＬＣＤ制御基板１０４、バックライト用インバータ基板１０５、操作スイッチ基板１０６が設けられている。信号入力基板１０２には、入力切換部１１に相当する入力切換ＩＣ４１が設けられている。メイン基板１０３には、ＡＤコンバータ１２に相当するＡＤコンバータＩＣ４２、映像信号変換用メモリ１３に相当する映像信号変換用メモリＩＣ４３、と、映像信号変換部１４、画質強調補正部１５、ＯＳＤ制御部１６、及びＯＳＤ混合部１７に相当する画像処理ＩＣ４４が設けられている。ＬＣＤ制御基板１０４には、γ補正部１８に相当するγ補正ＩＣ４５、と、液晶コントローラ１９に相当する液晶コントローラＩＣ４６が設けられている。マトリックス型表示装置の背面には、更に、ゲートドライバ２１、及びソースドライバ２２が設けられている。
【００２９】
実線の矢印３２は映像信号の流れを模式的に示し、破線の矢印３０は、パネル駆動用クロック信号の流れを模式的に示す。網掛け表示されている、映像信号変換用メモリＩＣ４３、画像処理ＩＣ４４、γ補正ＩＣ４５、液晶コントローラＩＣ４６、メイン基板１０３とＬＣＤ制御基板１０４を接続する接続ケーブル４７、ＬＣＤ制御基板１０４と表示パネル２０を接続する接続ケーブル４８、４９は、パネル駆動用クロックに起因した不要な輻射の影響を受け易い部分である。
【００３０】
この部分は、通常、不要な輻射の影響を受けないように、適当なシールド又はシートが設けられる。また、パネル駆動用クロック信号を供給する配線３０には、ノイズを除去するための磁性体リングであるフェライトビーズ３１が設けられる。しかしながら、本例では、パネル駆動用クロックが低いから、不要な輻射の影響が小さい。従って、これらの部分に設ける、不要な輻射の影響を防止するためのシールド又はシートを減少させ、又は、除去することができる。更に、フェライトビーズ３１を減少させ、又は、除去することができる。
【００３１】
上述のように、本例では、ドット数が小さいユーロパネル（９６０ドット×５４０ドット）を使用する。それにより、以下の効果が得られる。
【００３２】
ソースドライバ２２、及び、ゲートドライバ２１はパネル駆動用クロックによって動作する。これらのパネルドライバを駆動する電流の変動より不要輻射が発生する。また、電流変動によりＧＮＤがゆすられ、ＧＮＤを経由した不要輻射が発生する。本例の場合、パネルのドット数が少ないから、ソースドライバ、及び、ゲートドライバの動作回数が減少する。従って、パネルドライバの電流変動の回数が減少し、不要輻射量を削減できる。即ち、パネルドライバからの直接の輻射、及び、ＧＮＤ経由の輻射が抑えられる。その結果、ソースドライバ、ゲートドライバ、グランドライン付近のシールドの面積を縮小、又は廃止することができる。
【００３３】
本例によると、ソースドライバＩＣの数量を削減することができる。従来のW-XGAパネル方式の表示パネルの場合、１０個のソースドライバを用いるが、本例のＰＡＬ方式のユーロパネルでは７個のソースドライバを用いる。通常、ソースドライバＩＣ毎に、電源とＧＮＤ間にコンデンサを挿入し、電源とＧＮＤラインの電流の変動を抑えている。ソースドライバＩＣの数が減少することで、コンデンサ数が減少する。また、電源ライン、グランドラインの不要輻射量も抑えられる。
【００３４】
ここでは、ユーロパネル方式の映像ソース用のマトリックス型液晶表示装置にＰＡＬ標準映像信号及びハイビジョン信号を表示する場合について説明したが、本発明は、ＳＥＣＡＭ方式標準映像信号を表示する場合についても同様に適用可能であることは当業者であれば容易に理解できよう。また、ここではマトリックス型の表示パネルとして液晶パネルの場合を説明したが、本発明は、プラズマパネルなどのマトリックス型の表示装置であれば適用可能である。
【００３５】
以上、本発明の例を説明したが、本発明は上述の例に限定されるものではなく、特許請求の範囲に記載された発明の範囲にて様々な変更が可能であることは当業者に理解されよう。
【図面の簡単な説明】
【００３６】
【図１】本発明のユーロパネル方式のマトリックス型表示装置の構成の例を示す図である。
【図２】本発明のユーロパネル方式のマトリックス型表示装置において、ＰＡＬ標準（ＳＤ）映像信号の映像信号変換を説明するための説明図である。
【図３】本発明のユーロパネル方式のマトリックス型表示装置において、ハイビジョン（ＨＤ）映像信号の映像信号変換を説明するための説明図である。
【図４】本発明のユーロパネル方式のマトリックス型表示装置の背面の構成の例を示す図である。
【図５】従来のＷ−ＸＧＡ方式パネルのマトリックス型表示装置において、ＰＡＬ標準（ＳＤ）映像信号の映像信号変換を説明するための説明図である。
【図６】従来のＷ−ＸＧＡ方式パネルのマトリックス型表示装置において、ハイビジョン（ＨＤ）映像信号の映像信号変換を説明するための説明図である。
【符号の説明】
【００３７】
１１…入力切換部、１２…ＡＤコンバータ、１３…映像信号変換用メモリ、１４…映像信号変換部、１５…画質強調補正部、１６…ＯＳＤ制御部、１７…ＯＳＤ混合部、１８…γ補正部、１９…液晶コントローラ、２０…表示パネル、２１…ゲートドライバ、２２…ソースドライバ、４１…入力切換ＩＣ、４２…ＡＤコンバータＩＣ、４３…映像信号変換用メモリＩＣ、４４…画像処理ＩＣ、４５…γ補正ＩＣ、４６…液晶コントローラＩＣ、４７、４８、４９…接続ケーブル、１０１…電源基板、１０２…信号入力基板、１０３…メイン基板、１０４…ＬＣＤ制御基板、１０５…バックライト用インバータ基板、１０６…操作スイッチ基板
【図１】
2006173787.tif 000003
【図２】
2006173787.tif 000004
【図３】
2006173787.tif 000005
【図４】
2006173787.tif 000006
【図５】
2006173787.tif 000007
【図６】
2006173787.tif 000008
【手続補正書】
【提出日】平成16年12月15日(2004.12.15)
【手続補正１】
【補正対象書類名】明細書
【補正対象項目名】０００２
【補正方法】変更
【補正の内容】
【０００２】
ＮＴＳＣ方式の映像ソースを表示するために液晶パネル、プラズマパネル等のマトリックス型表示パネルを用いた映像表示装置が知られている。このような映像表示装置には、通常、パーソナルコンピュータの表示規格に従った表示パネルが用いられる。例えば、４：３型のＶＧＡ（６４０ドット×４８０ドット）の表示パネルの場合、４８０行の画素列からなり、ＸＧＡ（１０２４ドット×７６８ドット）の表示パネルの場合、７６８行の画素列からなる。
【手続補正２】
【補正対象書類名】明細書
【補正対象項目名】０００６
【補正方法】変更
【補正の内容】
【０００６】
先ず、図５Ａの５７６ｉ映像信号を、図５Ｃに示す、走査線が５４７本のプログレッシブ信号に変換する。こうして生成された信号を、以下、単に、５４７ｐ信号と称する。ここで、走査線が５７６本から５４７本に減少しているのは、片フィールドの信号をラインメモリにより１ラインを２ラインに増やす処理を行って５７６ｐ信号に変換し、さらに５％のオーバスキャン分２９ラインカットを行ったためである。次に、図５Ｃの５４７ｐ信号を、図５Ｄに示す、走査線が７６８本のプログレッシブ信号に変換する。こうして生成された信号を、以下、単に、７６８ｐ信号と称する。ここで、走査線を５４７から７６８本に増加させる処理をスケーリングと称する。７６８ｐ信号の走査線は、７６８本であるから、７６８行の画素列を有するＷ−ＸＧＡパネルに表示することができる。尚、５７６ｉ映像信号は４：３型であるから、それを１６：９型の表示パネルに表示するには、水平方向のスケーリングが必要である。
【手続補正３】
【補正対象書類名】明細書
【補正対象項目名】００１９
【補正方法】変更
【補正の内容】
【００１９】
先ず、図２Ａの５７６ｉ映像信号を、図２Ｃに示す、走査線が５７６本のプログレッシブ信号に変換する。こうして生成された信号を、以下、単に、５７６ｐ信号と称する。ここで、インターレース信号は片フィールドの信号をラインメモリにより１ラインを２ラインに増やす処理を行ってプログレッシブ信号に変化させている。